(57)【要約】      （修正有）【課題】空間部の側面側のネットを安全に且つ適切に吊り張り及び収納することができるネット又はシート等の側面吊張体の吊張／下方収納システムを提供する。【解決手段】ウインチの巻回ドラムを回転駆動してワイヤロープ等の吊張用紐状体を空間部の上下方向でループ状に移動し、該ワイヤロープ等の吊張用紐状体に上端側を連結したネット又はシート等の側面用吊張体の吊張／下方収納システムにおいて、前記ネット又はシート等の側面用吊張体を吊り張り移動する際、ネット又はシート等の側面用吊張体の側面側に設けられた側面調整手段を用いて側面を吊り張り調整しながら空間部上方側にネット又はシート等の側面用吊張体を吊り張りし、又は前記ネット又はシート等の側面用吊張体を収納移動する際、ネット又はシート等の側面用吊張体の側面側に設けられた側面調整手段を用いて側面を吊り張り調整しながら空間部下方側にネット又はシート等の吊張体を収納する。【選択図】図１
2011147738.tif 000002
【特許請求の範囲】
【請求項１】
空間部の下方側等に設けられたウインチの巻回ドラムを回転駆動して該巻回ドラムに巻回したワイヤロープ等の吊張用紐状体を空間部の上下方向でループ状に移動し、該ワイヤロープ等の吊張用紐状体に上端側を連結したネット又はシート等の側面用吊張体をワイヤロープ等の吊張用紐状体に並行して設けられたワイヤロープ等のガイド用紐状体に沿って上方へ移動して吊り張りし又は下方へ移動して収納するネット又はシート等の側面用吊張体の吊張／下方収納システムにおいて、前記ネット又はシート等の側面用吊張体を吊り張り移動する際、ネット又はシート等の側面用吊張体の側面側に設けられた側面調整手段を用いて側面を吊り張り調整しながら空間部上方側にネット又はシート等の側面用吊張体を吊り張りし、又は前記ネット又はシート等の側面用吊張体を収納移動する際、ネット又はシート等の側面用吊張体の側面側に設けられた側面調整手段を用いて側面を吊り張り調整しながら空間部下方側にネット又はシート等の吊張体を収納することを特徴とするネット又はシート等の側面用吊張体の吊張／下方収納システム。
【請求項２】
空間部の下方側等に設けられたウインチの巻回ドラムを回転駆動して該巻回ドラムに巻回したワイヤロープ等の吊張用紐状体を空間部の上下方向でループ状に移動し、該ワイヤロープ等の吊張用紐状体に上端側を連結したネット又はシート等の側面用吊張体をワイヤロープ等の吊張用紐状体に並行して設けられたワイヤロープ等のガイド用紐状体に沿って上方へ移動して吊り張りし又は下方へ移動して収納するネット又はシート等の側面用吊張体の吊張／下方収納システムにおいて、前記ネット又はシート等の側面用吊張体を吊り張り移動する際、ネット又はシート等の側面用吊張体の側面側に設けられた側面調整手段を用いて側面を吊り張り調整しながら空間部上方側にネット又はシート等の側面用吊張体を吊り張りするとともに空間部の天井側に吊り張りしたネット又はシート等の天井吊張体を吊り張りし、又は前記ネット又はシート等の側面用吊張体を収納移動する際、ネット又はシート等の側面用吊張体の側面側に設けられた側面調整手段を用いて側面を吊り張り調整しながら空間部下方側にネット又はシート等の吊張体を収納するとともに空間部の天井側に吊り張りしたネット又はシート等の天井吊張体を下方側に収納することを特徴とするネット又はシート等の側面用吊張体の吊張／下方収納システム。
【発明の詳細な説明】
【技術分野】
【０００１】本発明は、ウインチを駆動してワイヤロープを空間部の上下方向でループ状に移動し、上端側を該ワイヤロープを連結したネットをワイヤロープに並行して設けられたガイド用ワイヤロープに沿って昇降移動することで、空間部の間仕切り用又は防球用として使用するネット又はシート等の側面用吊張体の吊張／下方収納システムに関する。
【背景技術】
【０００２】従来、例えば、屋外用の施設としてのゴルフ練習場において、ゴルフ球の飛び出しを防止するために、その空間部の周囲に沿ってネットをコの字状に吊り張りしている。しかしながら屋外の施設であるために、風の強い日には安全性のために下方にネットを収納して風の影響を受けないようにする必要があり、下記のようなシステムを用いてネットを収納しなければならない。【０００３】即ち、上記空間部のネットの吊張／下方収納システムは、空間部の周囲沿って等間隔で立設した複数本の支柱と、該支柱の下方側に取り付けられたウインチと、該ウインチの巻回ドラムと支柱の上端側に取り付けられた滑車間にループ状に架け渡したワイヤロープと、該ワイヤロープにその上端部分を連結体を介して連結し且つワイヤロープに並行に取り付けられたガイドロープにリング体を介して移動自在に挿通したネットとから構成されている。【０００４】通常は、ネットを支柱に沿って吊り張りした状態で使用しているが、風の強い日においては風の影響を除くためにネットを下降して収納しなければならない。この場合、ウインチを駆動してワイヤロープをループ状に移動し、ネットをガイドロープに沿って折り畳むように下降させることでネットを収納する。また、再度ネットを吊り張りする場合は、ウインチを逆駆動してワイヤロープをループ状に移動することでネットをガイドロープに沿って吊り張りする。【０００５】上記ゴルフ練習場等の施設では、通常は空間部の周囲に沿って側面用のネットが吊り張りしているだけだが、防球用としては空間部の天井部分にも防球用のネットが取り付ける必要があるが、天井部分のネットは通常固定式であり、風の影響を受けやすい。
【発明が解決しようとする課題】
【０００６】しかしながら、上記システムでは側面のネットに風の影響を受けた状態で下方に移動して収納する場合、ネットが風によって膨らんだ状態となり、ネットが中央側に引っ張られスムーズなネットの収納移動ができない。
【０００７】また、上記ネットはゴルフ球の飛距離のでる正面側部分と、側面側部分とでは高さ方向の距離が相違し、隣り合うネット間で弛み量がそれぞれ相違し、風を受けた場合ネットを連動して下降移動することが困難であった。
【０００８】さらに、ネットの荷重によりネットの中央側に引っ張られるためにネットの上端側を固定連結したワイヤロープのループ状の移動が連続して行えない。
【０００９】また、上記ネット間で弛み量の相違及びネットが中央側に引っ張られることは、ネットの吊り張り移動においてもスムーズな吊り張り移動ができない欠点があった。
【００１０】また、天井側のネットはこれまで固定式が一般的であったが、側面側のネットの収納のみでは風の影響を受けやすいという欠点があった。
【００１１】そこで、本発明は、空間部の側面側のネットを安全に且つ適切に吊り張り及び収納することができるネット又はシート等の側面吊張体の吊張／下方収納システムを提供することを課題とする。
【００１２】また、本発明は、空間部の側面側のネット及び天井側のネットを安全に吊り張り及び収納することができるネット又はシート等の側面吊張体の吊張／下方収納システムを提供することを課題とする。
【課題を解決するための手段】
【００１３】本発明は上記課題を解決するためのネット又はシート等の吊張体の吊張／下方収納システムの解決手段は、請求項１に記載のように、空間部の下方側等に設けられたウインチの巻回ドラムを回転駆動して該巻回ドラムに巻回したワイヤロープ等の吊張用紐状体を空間部の上下方向でループ状に移動し、該ワイヤロープ等の吊張用紐状体に上端側を連結したネット又はシート等の側面用吊張体をワイヤロープ等の吊張用紐状体に並行して設けられたワイヤロープ等のガイド用紐状体に沿って上方へ移動して吊り張りし又は下方へ移動して収納するネット又はシート等の側面用吊張体の吊張／下方収納システムにおいて、前記ネット又はシート等の側面用吊張体を吊り張り移動する際、ネット又はシート等の側面用吊張体の側面側に設けられた側面調整手段を用いて側面を吊り張り調整しながら空間部上方側にネット又はシート等の側面用吊張体を吊り張りし、又は前記ネット又はシート等の側面用吊張体を収納移動する際、ネット又はシート等の側面用吊張体の側面側に設けられた側面調整手段を用いて側面を吊り張り調整しながら空間部下方側にネット又はシート等の吊張体を収納することを特徴とする。
【００１４】また、ネット又はシート等の吊張体の吊張／下方収納システムの第２の解決手段は、請求項２に記載のように、空間部の下方側等に設けられたウインチの巻回ドラムを回転駆動して該巻回ドラムに巻回したワイヤロープ等の吊張用紐状体を空間部の上下方向でループ状に移動し、該ワイヤロープ等の吊張用紐状体に上端側を連結したネット又はシート等の側面用吊張体をワイヤロープ等の吊張用紐状体に並行して設けられたワイヤロープ等のガイド用紐状体に沿って上方へ移動して吊り張りし又は下方へ移動して収納するネット又はシート等の側面用吊張体の吊張／下方収納システムにおいて、前記ネット又はシート等の側面用吊張体を吊り張り移動する際、ネット又はシート等の側面用吊張体の側面側に設けられた側面調整手段を用いて側面を吊り張り調整しながら空間部上方側にネット又はシート等の側面用吊張体を吊り張りするとともに空間部の天井側に吊り張りしたネット又はシート等の天井吊張体を吊り張りし、又は前記ネット又はシート等の側面用吊張体を収納移動する際、ネット又はシート等の側面用吊張体の側面側に設けられた側面調整手段を用いて側面を吊り張り調整しながら空間部下方側にネット又はシート等の吊張体を収納するとともに空間部の天井側に吊り張りしたネット又はシート等の天井吊張体を下方側に収納することを特徴とする。
【発明の作用・効果】
【００１５】次に、本発明のネット又はシート等の側面用吊張体の吊張／下方収納システムの作用及び効果について記載する。
【００１６】先ず、空間部の所望の箇所に設けられた複数台のウインチの巻回ドラムを回転駆動してワイヤロープ等の吊張用紐状体を空間部の上下方向でループ状に移動する。
【００１７】これにより、上記ワイヤロープ等の吊張用紐状体に上端側を連結したネット又はシート等の側面用吊張体をワイヤロープ等の吊張用紐状体に並行して設けられたワイヤロープ等のガイド用紐状体に沿って上方へ移動して空間部に沿って吊り張りする。
【００１８】この際、上記ネット又はシート等の側面用吊張体の側面側に設けられた側面調整手段を用いて空間部の側面側の形状に応じて側面を吊り張り調整しながら空間部上方側にネット又はシート等の吊張体を吊り張りすることで、スムーズなネット又はシート等の側面用吊張体の吊り張り移動を行うことができる。
【００１９】次に、複数台のウインチの巻回ドラムを回転駆動してワイヤロープ等の吊張用紐状体を空間部の上下方向でループ状に移動する。
【００２０】これにより、上記ワイヤロープ等の吊張用紐状体に上端側を連結したネット又はシート等の側面用吊張体をワイヤロープ等のガイド用紐状体に沿って下方へ移動することで、ネット又はシート等の側面用吊張体を収納する。
【００２１】この際も、上記側面調整手段を用いて空間部の側面側の形状に応じて側面を吊り張り調整しながら空間部下方側にネット又はシート等の側面用吊張体を移動することで、スムーズなネット又はシート等の側面用吊張体の収納移動を行うことができる。
【００２２】このように、本発明のネット又はシート等の側面用吊張体の吊張／下方収納システムは、スムーズなネット又はシート等の側面用吊張体の吊り張り移動及び収納移動を行うことができる。
【００２３】しかも、側面調整手段によりネット又はシート等の側面用吊張体の吊り張り時の高さ方向の距離が相違しネット又はシート等の側面用吊張体間で弛み量の相違、又はネット又はシート等の側面用吊張体が中央側に引っ張られることがあっても、解消しながらスムーズな吊り張り移動、収納移動ができる。
【００２４】次に、空間部の天井側にもネット又はシート等の天井吊張体がある場合は、該ネット又はシート等の天井吊張体と空間部の側面側の形状に応じてネット又はシート等の側面吊張体の側面側を同期して引っ張り調整しながら吊り張り移動することで、同時に吊り張り移動する。
【００２５】また、ネット又はシート等の天井吊張体と空間部の側面側の形状に応じてネット又はシート等の側面吊張体の側面側を引っ張り調整しながら同時に収納移動する。
【００２６】このように、本発明のネット又はシート等の側面用吊張体の吊張／下方収納システムは、ネット又はシート等の天井吊張体をネット又はシート等の側面吊張体と同時に移動してスムーズに吊り張り及び収納することができる。
【００２７】しかも、ネット又はシート等の吊張体を空間部の上端側より引き出されたワイヤロープ等の吊張用紐状体と側面の調整手段とにより吊り張り移動するために、ネット又はシート等の吊張体の吊り張り時のトラブル（ネット又はシート等の吊張体の撓みや捩じれ、ワイヤロープ等の吊張用紐状体の撓みや弛み等）を解消した状態で吊り張りすることができる。
【００２８】また、側面の調整手段も空間部の形状に応じて、ネット又はシート等の吊張体の一側面又は両側面に設けることで、あらゆる形状の空間部に対応することができる。
【発明を実施するための最良の実施の形態】
【００２９】以下、本発明のウインチを用いたネット又はシート等の吊張体の吊張／下方収納システムの一実施例について図面を用いて説明する。
【００３０】図１は本発明のネット又はシート等の側面用吊張体の吊張／下方収納システムの吊り張り状態を示す概略説明図であり、図２は本発明のネット又はシート等の側面用吊張体の吊張／下方収納システムの収納状態を示す概略説明図であり、図３は本発明のネット又はシート等の側面用吊張体の吊張／下方収納システムの側面調整手段の他実施例を示す概略説明図であり、図４はネット又はシート等の側面用吊張体を吊張／下方収納システムの他実施例を示す概略説明図であり、図５はネット又はシート等の側面用吊張体の吊張／下方収納システムを示すフローチャートである。
【００３１】本発明のネット又はシート等の側面用吊張体の吊張／下方収納システムの一実施例について説明する。
【００３２】本発明のネット又はシート等の側面用吊張体の吊張／下方収納システムは、大空間部Ａの下方側（又は上部側、側面側）に一定の間隔で直接又は枠台（図示せず）を用いて等間隔で設置された複数個のエンドレス方式のウインチ１（ネット又はシート等の吊張体の面積に応じて数が決定される）と、ウインチ１の巻回ドラム２に巻回され空間部Ａの上下方向で滑車４を介してループ状に移動する吊張用紐状体３と、該吊張用紐状体３と並行でその端部を上下方向で固定して設けられたガイド用紐状体５と、該ガイド用紐状体５に移動自在に挿通し上端部分を吊張用紐状体３に固定した側面用吊張体６としてのネット（屋外、又は設置条件によってはシート（本発明においてシートとは布、ラバー、樹脂製も含む）、防音機能を有する新素材も含む）とから構成されている。
【００３３】本発明において吊張用紐状体３及びガイド用紐状体５の種類は、側面用吊張体６の大きさ（面積や長尺方向の長さ）や、屋内又は屋外等の条件で決定されるために、ワイヤロープに限定されるものでなく樹脂製のロープ、その他近年開発された各種ロープを含むものである。
【００３４】上記ウインチ１は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラム２が設けられている。
【００３５】上記側面用吊張体６のガイド用紐状体５への取り付けは、挿通体７としてのリングを介して移動自在に挿通している。
【００３６】前記側面用吊張体６の両側面側には、本発明の特徴となる側面調整手段が設けられている。
【００３７】本発明において側面調整手段は、調整用の巻取方式のウインチ１０と、該ウインチ１０の巻回ドラム２に巻回され、先端側を空間部Ａの側面側に取り付けられた滑車１２を介して吊張体５の両側面側に設けられた吊張用紐状体３に所望の位置（側面上部側等）で連結した複数の調整用紐状体１１とから構成されている。
【００３８】上記側面調整手段は、吊張用紐状体３をウインチ１でループ状に移動する際、側面用吊張体６の両側面側の吊張用紐状体３を調整用紐状体１１で所望の強さ（適切に吊張体６が広がった状態を維持する強さ）で引っ張るべく巻取方式のウインチ１０で巻き取り移動することで、側面用吊張体６を広げた状態で吊り張り移動及び収納移動することができる。
【００３９】これにより、側面用吊張体６は両側面側が常に適切に引っ張られた状態で吊り張り、及び収納されることとなる。
【００４０】次に、上記のように構成されたネット又はシート等の側面用吊張体の吊張／下方収納システムを、屋内の大空間部Ａで使用する場合について説明する。
【００４１】先ず、所望の空間部Ａの下端側に沿って複数台のエンドレス状のウインチ１を一定の間隔を開けて設置する。
【００４２】その後、前記空間部Ａそれぞれのウインチ１設置部分の上下方向に上端側に取り付けた滑車４とウインチ１の巻回ドリル２間でループ状に移動するように吊張用紐状体３を架設する。
【００４３】その後、各吊張用紐状体３と並行してガイド用紐状体５を上下両端側を固定して取り付ける。
【００４４】そして、側面用吊張体６の上下方向に直線状に取り付けた挿通体７としてのリング体に上記ガイド用紐状体５に移動自在に挿通し、その後側面用吊張体６の上端側を連結体（図示せず）を介して上記吊張用紐状体３に固定連結する。
【００４５】尚、側面用吊張体６に錘体（図示せず）を連結することで側面用吊張体６の下方への収納をさらにスムーズに移動することができる。
【００４６】次に、調整用の巻取方式のウインチ１０を吊張体６の両側面側に設置し、該ウインチ１０の巻回ドラムに巻回された調整用紐状体１１を両側面側にそれぞれ取り付けられた滑車１２を介して引き出し移動し、その先端を側面吊張体６の両端側に設けられた吊張用紐状体３に所望の間隔で固定する。
【００４７】その後、各ウインチ１の巻回ドラム２を上記と逆方向に回転駆動し各吊張用紐状体３を所望量ループ状に移動することで、側面用吊張体６をガイド用紐状体５に沿って上方に移動し、空間部Ａの側面に沿って吊り張りする。この際、ウインチ１０の巻回ドラム２に巻回された調整用紐状体１１を引っ張った状態で巻き取り移動し、側面用吊張体６の両側面側を側面側に引っ張って空間部Ａの形状に応じて広げた状態で移動するために、側面用吊張体６の吊り張り調整を自在に調整して、スムーズな吊り張り移動ができる。
【００４８】これにより、側面用吊張体６を空間部Ａの上部側に沿って間仕切り用として、又は防球用として使用することができる。
【００４９】次に、側面用吊張体６を上記空間部Ａの下方側に収納する場合について説明する。
【００５０】先ず、各ウインチ１の巻回ドラム２を上記と逆方向に回転駆動し各吊張用紐状体３を所望量ループ状に移動することで、側面用吊張体６をガイド用紐状体５に沿って下方に移動し、下端側に収納する。この際も、ウインチ１０の巻回ドラム２に巻回された調整用紐状体１１を引っ張った状態で巻き取り移動し、側面用吊張体６の両側面側を側面側に引っ張って空間部Ａの形状に応じて広げた状態で、側面用吊張体６を収納する。
【００５１】このように、各吊張用紐状体３のループ状の移動により、側面用吊張体６をガイド用紐状体５に沿って昇降移動するためにスムーズな移動を可能とする。
【００５２】また、側面用吊張体６の吊り張り移動時、及び下方への収納移動時に吊張用紐状体３の捩じれや撓みが発生することなく、従来のネット又はシート等の吊張体の吊張／収納システムのように頻繁なメンテナンスを必要とすることなく、常に最適な状態で側面用吊張体６の吊り張り及び収納を可能とする。
【００５３】また、ウインチ１による側面用吊張体６の吊り張り又は収納時に、側面調整手段としての巻取方式のウインチ１０で調整用紐状体１１を巻き取り移動することで、側面用吊張体６を常に引っ張った状態で吊り張りし、また収納することができるので、大面積を有する側面用吊張体６であっても、また長尺状の側面用吊張体６であっても常に適切に広げて吊り及び収納することができる。
【００５４】さらに、側面用吊張体６の側面側の引っ張りも巻取方式のウインチ１０で自在に微調整することができるので、側面用吊張体６の種類に応じて対応することも可能である。
【００５５】尚、上記実施例では、側面調整手段を調整用の巻取方式のウインチ１０と、該ウインチ１０に巻回され、先端側を滑車１２を介して側面用吊張体６の両側面側に設けられた吊張用紐状体３に所望の位置で連結した複数の調整用紐状体１１とから構成したが、本発明において、側面調整手段はこの構成に限定されるものでなく、例えば、側面用吊張体６の両側面側の上下方向にガイドワイヤー２１を取り付け該ガイドワイヤー２１にリング体２２を介して連結紐状体２２を側面用吊張体６の両側面側の吊張用紐状体３に連結すべく構成することも可能であり、また、ガイドワイヤー２１を巻取方式のウインチ３０で巻き取るように構成することも可能である。
【００５６】また、上記実施例では側面調整手段を側面用吊張体６の両側面側に設けたが、本発明の側面調整手段の取り付けはこれに限定されるものでなく、例えば、側面用吊張体６の片方の側面のみに取り付けることも可能である。
【００５７】また、上記実施例では、側面用吊張体６を側面用として使用したが、屋外の空間部に設置する場合は、天井用吊張体２６を空間部の天井側に吊り張りする。この場合、一方をウインチ１の巻回ドラム２に巻回し他方を滑車４に巻回した吊張用紐状体３に天井用吊張体２６の側端部を固定連結する。この状態でウインチ１を駆動し吊張用紐状体３をループ状に移動することで、天井用吊張体２６を支柱に沿って昇降移動することができる。即ち、上記実施例の側面用吊張体６の昇降移動と同期することで、側面用吊張体６と天井用吊張体２６とを連動してスムーズな昇降移動を可能とする。
【図面の簡単な説明】
【００５８】
【図１】本発明のネット又はシート等の側面用吊張体の吊張／下方収納システムの実施例を示す概略説明図
【図２】本発明のネット又はシート等の側面用吊張体の吊張／下方収納システムの収納状態を示す概略説明図
【図３】本発明のネット又はシート等の側面用吊張体の吊張／下方収納システムの側面調整手段の他実施例を示す概略説明図
【図４】ネット又はシート等の側面用吊張体を吊張／収納するのに使用するウインチの他実施例を示す概略説明図
【図５】ネット又はシート等の側面用吊張体の吊張／下方収納システムを示すフローチャート
【符号の説明】
【００５９】１…ウインチ、３…吊張用紐状体、６…側面用吊張体
【図１】
2011147738.tif 000003
【図２】
2011147738.tif 000004
【図３】
2011147738.tif 000005
【図４】
2011147738.tif 000006
【図５】
2011147738.tif 000007